(57)【要約】      （修正有）【課題】信頼性を向上し得る媒体処理装置及び自動取引装置を提供する。【解決手段】現金自動取引装置は、小切手に関する取引を受け付ける顧客応対部と、小切手束が挿入される入金口５と、入金口５を開閉するシャッタと、入金口５に挿入される小切手の枚数に応じた入金口５の開口量となるようにシャッタを移動させる制御部とを設ける。【選択図】図１２
2019133261.tif 000002
【特許請求の範囲】
【請求項１】
媒体が挿入される挿入口と、
前記挿入口を開閉するシャッタと、
前記挿入口に挿入される前記媒体の枚数に応じた前記挿入口の開口量となるように前記シャッタを移動させる制御部と
を有する媒体処理装置。
【請求項２】
前記シャッタは、前記挿入口を閉鎖していない状態で、開放方向へ力を受けると、前記開放方向へ移動する
請求項１に記載の媒体処理装置。
【請求項３】
前記制御部は、前記媒体の挿入時と返却時とで、前記開口量を変化させる
請求項１に記載の媒体処理装置。
【請求項４】
前記制御部は、前記媒体の挿入時よりも返却時の方の前記開口量を広くする
請求項３に記載の媒体処理装置。
【請求項５】
前記制御部は、前記媒体の挿入時は、挿入される前記媒体の枚数に応じた前記開口量とし、前記媒体の返却時は、最大の前記開口量とする
請求項４に記載の媒体処理装置。
【請求項６】
前記シャッタは、前記挿入口を閉鎖している状態で、開放方向へ力を受けると、前記開放方向への移動が規制される
請求項１に記載の媒体処理装置。
【請求項７】
駆動力を発生させる駆動機構部と、
前記駆動機構部が発生させた動力により回転するクランクギアと、
一端側が前記クランクギアに固定されると共に、他端側において、前記シャッタと共に移動するピンが摺動可能に嵌め込まれた孔部が形成され、前記クランクギアの回転力をシャッタ開閉動作方向の移動力へ変換して前記シャッタへ伝達させるリンクと、
前記シャッタが閉鎖方向へ付勢されるよう前記ピンを付勢する付勢部材と
を有し、
前記シャッタは、前記挿入口を閉鎖していない状態で、前記開放方向へ力を受けると、前記孔部において前記ピンを摺動させつつ、前記開放方向へ移動する
請求項２に記載の媒体処理装置。
【請求項８】
駆動力を発生させる駆動機構部と、
前記駆動機構部が発生させた動力により回転するクランクギアと、
一端側が前記クランクギアに固定されると共に、他端側において、前記シャッタと共に移動するピンが嵌め込まれた孔部が形成され、前記クランクギアの回転力をシャッタ開閉動作方向の移動力へ変換して前記シャッタへ伝達させる第１リンクと、
前記ピンが一端側に形成され、他端側の孔部に挿入された前記シャッタのシャッタ軸を支点として回動する第２リンクと、
一端側の孔部に前記ピンが挿入され、他端側の孔部に挿入された所定の回動軸を支点として回動する第３リンクと
を有し、
前記シャッタが前記挿入口を閉鎖している状態において、前記シャッタ軸と前記回動軸とを結ぶ直線よりも前記ピンが前記シャッタから離隔する側に配置され、前記シャッタが前記開放方向へ力を受けると、前記挿入口を閉鎖させるよう前記シャッタを移動させる方向へ前記第３リンクが回動し前記シャッタに当接することにより、前記シャッタの前記開放方向への移動が規制される
請求項６に記載の媒体処理装置。
【請求項９】
前記開口量は、前記媒体処理装置が設置される環境に応じて予め設定される
請求項１に記載の媒体処理装置。
【請求項１０】
前記開口量は、取引毎に予め設定される
請求項１に記載の媒体処理装置。
【請求項１１】
前記開口量は、取引毎に設定された、前記挿入口に挿入される前記媒体の枚数に応じて設定される
請求項１０に記載の媒体処理装置。
【請求項１２】
駆動力を発生させる駆動機構部と、
回転に伴って移動するディテクタ部が形成され、前記駆動機構部が発生させた動力により回転するディテクタ付きクランクギアと、
前記ディテクタ付きクランクギアの回転力を上下移動力へ変換して前記シャッタへ伝達させるリンクと、
前記ディテクタ部を検出するセンサと
を有し、
前記制御部は、前記センサが前記ディテクタ部を検出したときを前記シャッタの基準位置として、挿入される前記媒体の枚数に応じた前記挿入口の開口量となるように前記シャッタを前記基準位置から移動させる
請求項１に記載の媒体処理装置。
【請求項１３】
前記媒体は、複数の前記媒体が重ねられた媒体束である
請求項１に記載の媒体処理装置。
【請求項１４】
前記媒体束は、複数の小切手が重ねられた小切手束である
請求項１３に記載の媒体処理装置。
【請求項１５】
紙葉状の媒体に関する取引を受け付ける利用者応対部と、
前記媒体が挿入される挿入口と、
前記挿入口を開閉するシャッタと、
前記挿入口に挿入される前記媒体の枚数に応じた前記挿入口の開口量となるように前記シャッタを移動させる制御部と
を有する自動取引装置。
【発明の詳細な説明】
【技術分野】
【０００１】
本発明は媒体処理装置及び自動取引装置に関し、例えば紙幣等の媒体を投入して所望の取引を行う現金自動取引装置（ＡＴＭ：Automatic Teller Machine）等に適用して好適なものである。
【背景技術】
【０００２】
従来、金融機関や店舗等で使用される現金自動取引装置等においては、顧客との取引内容に応じて、顧客に紙幣や硬貨等の現金を入金させ、また顧客へ現金を出金する。現金自動取引装置としては、顧客との間で紙幣の授受を行う入出金部と、投入された紙幣の金種及び真偽を鑑別すると共に紙幣の記番号を識別する鑑別部と、投入された紙幣を一時的に保留する一時保留部と、紙幣を搬送する搬送部と、金種毎に紙幣を格納する紙幣収納庫とを有する紙幣入出金機を内蔵するものがある（例えば、特許文献１参照）。
【０００３】
ここで図１８に、従来の入出金部７０を示す。入出金部７０は、フロントパネル２６に入金口５を有しており、フロントパネル２６の後側に、略平板状の板状部材であるシャッタ２３０が設けられている。シャッタ２３０には、該シャッタ２３０の前面と後面とを貫通するようスロット状のシャッタ開口部３０Ａが板厚方向に穿設されている。
【０００４】
このシャッタ２３０は、シャッタ駆動モータ４０が発生させた駆動力がクランクギア４２及びリンク４４を介し伝達され移動する。このためシャッタ２３０は、利用者との間で取引を行わないアイドル状態の際に、シャッタ開口部３０Ａをフロントパネル２６の入金口５よりも下側に位置させシャッタ２３０で入金口５を閉鎖する状態である閉鎖状態と、利用者との間で取引を行う取引状態の際に、閉鎖状態よりも上方へ移動しシャッタ開口部３０Ａを入金口５の後側に位置させ入金口５を開放させる開放状態とに、上下方向に沿って往復移動する。
【０００５】
またシャッタ２３０の右側面における下端部と上端部とからは、上下左右方向に沿う板状のディテクタ３０Ｄｄとディテクタ３０Ｄｕとがそれぞれ右方へ突設されている。ディテクタ３０Ｄｄの移動軌跡上には、閉検知センサ３２が設けられている。ディテクタ３０Ｄｕの移動軌跡上には、開検知センサ７２が設けられている。入出金部７０は、入金口５が全閉状態であることを閉検知センサ３２により検知すると共に、入金口５が全開状態であることを開検知センサ７２により検知する。
【先行技術文献】
【特許文献】
【０００６】
【特許文献１】特開２０１２−１９０２４５号公報
【発明の概要】
【発明が解決しようとする課題】
【０００７】
しかしながらこのような入出金部では、シャッタの全開と全閉とを切り替えるため、挿入される媒体の量に関わらず、常に一定の開口量だけ開放されていた。このためこのような入出金部では、媒体挿入時に、故障や障害の原因となるような想定以上の枚数の媒体や、強い癖がついた媒体や、取り扱い対象媒体以外の異物を挿入されるおそれがあった。
【０００８】
本発明は以上の点を考慮してなされたもので、信頼性を向上し得る媒体処理装置及び自動取引装置を提案しようとするものである。
【課題を解決するための手段】
【０００９】
かかる課題を解決するため本発明の媒体処理装置においては、媒体が挿入される挿入口と、挿入口を開閉するシャッタと、挿入口に挿入される媒体の枚数に応じた挿入口の開口量となるようにシャッタを移動させる制御部とを設けるようにした。
【００１０】
また本発明の自動取引装置においては、紙葉状の媒体に関する取引を受け付ける利用者応対部と、媒体が挿入される挿入口と、挿入口を開閉するシャッタと、挿入口に挿入される媒体の枚数に応じた挿入口の開口量となるようにシャッタを移動させる制御部とを設けるようにした。
【００１１】
本発明は、挿入される媒体の枚数に応じて挿入口の開口量をシャッタで制限することができ、想定以上の大量枚数の媒体の挿入や、強い癖がついた媒体の挿入や、取り扱い対象媒体以外の異物の挿入を抑制できる。
【発明の効果】
【００１２】
本発明によれば、信頼性を向上し得る媒体処理装置及び自動取引装置を実現できる。
【図面の簡単な説明】
【００１３】
【図１】現金自動取引装置の構成を示す斜視図である。
【図２】小切手処理装置の構成を示す右側面図である。
【図３】第１の実施の形態による閉鎖状態の小切手束挿入部の構成を示す右側面図である。
【図４】第１の実施の形態による開放状態の小切手束挿入部の構成を示す右側面図である。
【図５】保守画面を示す図である。
【図６】入金時開口量表を示す図である。
【図７】第１の実施の形態によるシャッタ開放処理手順を示すフローチャートである。
【図８】第１の実施の形態によるシャッタ閉鎖処理手順を示すフローチャートである。
【図９】第２の実施の形態による小切手束挿入部の構成（１）を示す分解斜視図である。
【図１０】第２の実施の形態による小切手束挿入部の構成（２）を示す斜視図である。
【図１１】第２の実施の形態による小切手束挿入部の構成（３）を示す斜視図である。
【図１２】第２の実施の形態による閉鎖状態の小切手束挿入部を示す右側面図である。
【図１３】第２の実施の形態によるシャッタ開放動作（１）を示す右側面図である。
【図１４】第２の実施の形態によるシャッタ開放動作（２）を示す右側面図である。
【図１５】第２の実施の形態によるロック状態を示す右側面図である。
【図１６】第２の実施の形態によるシャッタ開放処理手順を示すフローチャートである。
【図１７】第２の実施の形態によるシャッタ閉鎖処理手順を示すフローチャートである。
【図１８】従来の入出金部の構成を示す右側面図である。
【発明を実施するための形態】
【００１４】
以下、発明を実施するための形態（以下実施の形態とする）について、図面を用いて説明する。
【００１５】
［１．第１の実施の形態］
［１−１．現金自動取引装置の外観構成］
図１に外観を示すように、現金自動取引装置１は、箱状の筐体２を中心に構成されており、例えば金融機関等に設置され、顧客との間で出金取引等の現金に関する取引を行う。筐体２は、その前側に顧客が対峙した状態で小切手の投入やタッチパネルによる操作等をしやすい箇所に顧客応対部３が設けられている。
【００１６】
顧客応対部３は、カード入出口４、入金口５、操作表示部６、テンキー７及びレシート発行口８が設けられており、顧客との間で現金や通帳等を直接やり取りすると共に、取引に関する情報の通知や操作指示の受付を行う。カード入出口４は、キャッシュカード等の各種カードが挿入又は排出される部分である。カード入出口４の奥側には、各種カードに磁気記録された口座番号等の読み取りを行うカード処理部（図示せず）が設けられている。入金口５は、顧客から入金される小切手が挿入される部分である。入金口５は、シャッタ（図示せず）が駆動されることにより開放又は閉塞する。操作表示部６は、取引に際して操作画面を表示するＬＣＤ（Liquid Crystal Display）と、取引の種類の選択、暗証番号や取引金額等を入力するタッチパネルとが一体化されている。テンキー７は、「０」〜「９」の数字等の入力を受け付ける物理的なキーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００１７】
筐体２内には、現金自動取引装置１全体を統括制御する主制御部９や、小切手に関する種々の処理を行う小切手処理装置１０等が設けられている。主制御部９は、図示しないＣＰＵ（Central Processing Unit）を中心に構成されており、ＲＯＭ（Read Only Memory）、ＲＡＭ（Random Access Memory）、ハードディスクドライブやフラッシュメモリ等でなる記憶部から所定のプログラムを読み出して実行することにより、各部を制御して出金取引等の種々の処理を行う。
【００１８】
筐体２は、前面側及び後面側に、開閉可能な扉が設けられている。筐体２は、顧客との間で取引処理が行われる取引動作時の場合には扉を閉鎖することにより、現金自動取引装置１の内部を保護する。一方筐体２は、保守員や金融機関の行員等により保守作業が行われる保守作業時の場合には、必要に応じて扉を開放することにより、内部の各部に対する作業を容易に行わせ得る。以下では、現金自動取引装置１のうち顧客が対峙する側を前側とし、その反対を後側とし、該前側に対峙した顧客から見て左、右、上及び下をそれぞれ左側、右側、上側及び下側として説明する。
【００１９】
［１−２．小切手処理装置の構成］
図２に示すように小切手処理装置１０は、現金自動取引装置１の処理装置筐体２１内に配され、小切手に関する種々の処理を行う。この小切手処理装置１０は、全体として直方体状に形成された処理装置筐体２１の内部に、小切手に関する種々の処理を行う複数の処理ユニットが組み込まれている。
【００２０】
処理装置筐体２１内には、小切手処理装置１０を制御する制御部２０と、利用者との間で小切手を授受するバンドル部１１と、小切手を各部へ搬送する搬送路Ｗと、小切手を所定の基準面へ幅寄せするアライナ部１３と、小切手の画像及び磁気情報を読み取ると共に取引情報の印字を行うスキャナ部１５と、小切手を一時的に収納するエスクロ部１７と、利用者がバンドル部１１から取り忘れた小切手を回収して格納するリトラクト部１８と、利用済みの小切手を収納する２個のスタッカ部２２（２２Ａ及び２２Ｂ）とが設けられている。また処理装置筐体２１内には、バンドル部１１、アライナ部１３、スキャナ部１５、エスクロ部１７、リトラクト部１８及びスタッカ部２２を支える図示しないフレームが設けられている。
【００２１】
この小切手処理装置１０は、制御部２０により全体を統括的に制御する。この制御部２０は、図示しないＣＰＵを中心に構成されており、図示しないＲＯＭやフラッシュメモリ等から所定のプログラムを読み出して実行することにより、入金取引に関する種々の処理を行う。また制御部２０は、内部にＲＡＭ、ハードディスクドライブやフラッシュメモリ等でなる記憶部を有しており、この記憶部に各種プログラムや入金取引に関する種々の情報を記憶させている。また制御部２０は、処理装置筐体２１内部に設けられた各センサの監視や、各アクチュエータの駆動や、各種判断等を行うと共に、現金自動取引装置１全体を制御する主制御部９との通信を行う。
【００２２】
搬送路Ｗは、第１搬送路Ｗ１、第２搬送路Ｗ２、第３搬送路Ｗ３、第４搬送路Ｗ４、第５搬送路Ｗ５、第６搬送路Ｗ６及び第７搬送路Ｗ７により構成されており、図中に実線で示すように処理装置筐体２１内の各部を接続し、回転するローラや小切手を案内するガイド等が適宜配置されており、小切手の長手方向を進行方向に沿わせて搬送する。
【００２３】
処理装置筐体２１の上部における前側約半分の部分には、バンドル部１１が配置されている。バンドル部１１の前端には、開閉可能なシャッタ３０が設けられている。制御部２０は、操作表示部６を介して利用者から入金取引の開始を指示する操作を受け付けると、バンドル部１１に対しシャッタ３０を開放させるよう制御する。
【００２４】
これに応じてバンドル部１１は、利用者に対し束状に集積された小切手ＣＫ（以下これを小切手束ＣＫＢとも呼ぶ）を内部に挿入させ、その後シャッタ３０を閉塞することにより、内部に保有する小切手ＣＫを保護する。因みに小切手ＣＫは、長方形の紙により構成され、その表面に金額等の情報が表示されている。また小切手束ＣＫＢは、各小切手ＣＫの長辺を前後方向に沿った搬送方向に沿わせ、短辺を搬送方向に直交する左右方向である搬送幅方向に沿わせると共に、金額等が記載された表面を上に向けた姿勢でバンドル部１１に挿入される。
【００２５】
バンドル部１１は、内部に設けられた束搬送機構により前後方向に沿った束搬送路ＷＢを形成しており、小切手束ＣＫＢをこの束搬送路ＷＢに沿って後方向へ搬送し、該バンドル部１１の後端近傍に設けられた分離部１２の前側に到達させる。分離部１２は、小切手束ＣＫＢの上面側から小切手ＣＫを１枚ずつに分離し、後方のアライナ部１３に順次引き渡していく。
【００２６】
アライナ部１３は、主に前後方向に沿う搬送経路である第１搬送路Ｗ１を内部に構成しており、分離部１２から受け取った小切手ＣＫをこの第１搬送路Ｗ１に沿って後方へ順次搬送する。このときアライナ部１３は、該小切手ＣＫを第１搬送路Ｗ１における幅方向の一方、例えば右側に寄せていき、後方及び下方に配置されたスキャナ部１５の第２搬送路Ｗ２に引き渡す。
【００２７】
スキャナ部１５は、アライナ部１３の後方且つ下方に位置しており、上下方向に沿った第２搬送路Ｗ２と、前後方向に沿った第３搬送路Ｗ３と、上下方向に沿った第４搬送路Ｗ４と、第１切替部１４とが内部に形成されている。
【００２８】
第１切替部１４は、制御部２０の制御に基づいて小切手ＣＫの搬送経路を切り替えることにより、第２搬送路Ｗ２及び第３搬送路Ｗ３、第２搬送路Ｗ２及び第４搬送路Ｗ４、又は第３搬送路Ｗ３及び第４搬送路Ｗ４を接続する。すなわち第１切替部１４は、アライナ部１３から小切手ＣＫが引き渡されると、第２搬送路Ｗ２及び第３搬送路Ｗ３を接続し、この小切手ＣＫを前方に引き渡す。スキャナ部１５は、第１切替部１４から第３搬送路Ｗ３に沿って小切手ＣＫを前方へ搬送しながら、該小切手ＣＫからＭＩＣＲ（Magnetic ink character recognition）文字を読み取り、また該小切手ＣＫの両面をそれぞれ撮像して画像データを生成した上で、前下側に位置するエスクロ部１７に引き渡す。
【００２９】
エスクロ部１７は、バンドル部１１のほぼ真下に配置されており、その内部に回転するドラムや該ドラムの周側面に巻き付けるテープ、及び小切手ＣＫを搬送するための搬送部等を有している。このエスクロ部１７は、スキャナ部１５から受け取った小切手ＣＫをドラムの周側面近傍へ搬送し、テープと共にドラムの周側面に順次巻き付けることにより、該小切手ＣＫを一時的に保留していく。説明の都合上、ここまでの一連の処理を入金読取処理と呼ぶ。
【００３０】
制御部２０は、バンドル部１１に挿入された全ての小切手ＣＫをスキャナ部１５により読み取り終えると、読み取った内容を表す画像や文字等を表示部（図示せず）に表示すると共に、利用者に入金取引を継続するか否かを問い合わせる。
【００３１】
ここで利用者から入金取引の中止が指示されると、制御部２０は、エスクロ部１７に保留している全ての小切手ＣＫを利用者に返却させる返却処理を開始する。すなわちエスクロ部１７は、保留していた小切手ＣＫをドラムを逆回転させることにより１枚ずつ巻き取った逆順で繰り出し、スキャナ部１５に引き渡していく。スキャナ部１５及びアライナ部１３は、第３搬送路Ｗ３、第２搬送路Ｗ２及び第１搬送路Ｗ１に沿って小切手ＣＫを入金読取処理と反対方向へ搬送することにより、該小切手ＣＫを分離部１２に順次引き渡す。
【００３２】
分離部１２は、引き渡された小切手ＣＫを前方へ放出することにより、バンドル部１１内に小切手ＣＫを集積していく。バンドル部１１は、分離部１２により小切手ＣＫが放出されて小切手束ＣＫＢが形成されると、シャッタ３０を開放すると共に集積された小切手束ＣＫＢを束搬送路ＷＢに沿って前方へ搬送し、その前側部分を外部に露出させた状態で挟持する。
【００３３】
ここでバンドル部１１は、組み込まれたセンサにより小切手束ＣＫＢが取り出されたか否か監視している。制御部２０は、バンドル部１１のセンサにより小切手束ＣＫＢが取り出されたことを検出した場合、該小切手束ＣＫＢが利用者に返却されたものと判断し、シャッタ３０を閉塞して返却処理を終了する。
【００３４】
一方、バンドル部１１において所定時間内に小切手束ＣＫＢが取り出されなかった場合、制御部２０は、利用者が小切手束ＣＫＢを取り忘れたまま立ち去ったと判断し、この小切手束ＣＫＢを取り込む取忘取込処理を開始する。具体的に制御部２０は、入金読取処理の場合と同様、バンドル部１１により小切手束ＣＫＢを後方へ搬送し、分離部１２により再び１枚ずつの小切手ＣＫに分離し、アライナ部１３及びスキャナ部１５により第１搬送路Ｗ１及び第２搬送路Ｗ２に沿って第１切替部１４まで搬送させる。
【００３５】
このとき第１切替部１４は、制御部２０の制御により第２搬送路Ｗ２及び第４搬送路Ｗ４を繋ぐように内部の搬送経路を切り替えており、第２搬送路Ｗ２から受け取った小切手ＣＫを下方の第４搬送路Ｗ４に引き渡す。第４搬送路Ｗ４は、上下方向に沿って形成されており、第１切替部１４から受け取った小切手ＣＫを下方へ搬送し、下側の第２切替部１６に引き渡す。
【００３６】
第２切替部１６は、制御部２０の制御に基づいて内部の搬送経路を切り替えることにより、第４搬送路Ｗ４及びリトラクト部１８、又は第４搬送路Ｗ４及び第５搬送路Ｗ５を繋ぐ。例えば第２切替部１６は、第４搬送路Ｗ４及び第５搬送路Ｗ５を接続するように内部の搬送経路を切り替えていた場合、第４搬送路Ｗ４から受け取った小切手ＣＫを後搬送部１９に引き渡す。
【００３７】
このとき第２切替部１６は、制御部２０の制御により第４搬送路Ｗ４及びリトラクト部１８を繋ぐように内部の搬送経路を切り替えており、スキャナ部１５から受け取った小切手ＣＫを前下方のリトラクト部１８に引き渡す。リトラクト部１８は、スキャナ部１５のほぼ真下に配置されており、内部に小切手ＣＫを収納する収納空間を形成すると共に、小切手ＣＫをこの収納空間へ放出する放出機構を有している。このリトラクト部１８は、第２切替部１６から受け取った小切手ＣＫを放出機構により放出空間内へ順次放出し、該小切手ＣＫを該放出空間内に集積させた状態で収納する。これにより制御部２０は、取忘取込処理を終了する。
【００３８】
一方制御部２０は、入金読取処理によってエスクロ部１７に全ての小切手ＣＫを保留した状態で、利用者から入金取引の継続が指示されると、保留している小切手ＣＫを収納する収納処理を開始する。具体的にエスクロ部１７は、ドラムを逆回転させることにより保留していた小切手ＣＫを１枚ずつ繰り出し、スキャナ部１５に引き渡していく。
【００３９】
スキャナ部１５は、エスクロ部１７から順次受け取った小切手ＣＫを第３搬送路Ｗ３に沿って後方へ搬送しながら、内蔵するプリンタやスタンプ押印部により該小切手ＣＫに対し取引結果等を表す情報を印字すると共にその画像を撮像して印字状態を認識した上で、該小切手ＣＫを第１切替部１４に引き渡す。
【００４０】
このとき第１切替部１４は、制御部２０の制御により第３搬送路Ｗ３及び第４搬送路Ｗ４を繋ぐように内部の搬送経路を切り替えており、第３搬送路Ｗ３から受け取った小切手ＣＫを第４搬送路Ｗ４に引き渡す。第４搬送路Ｗ４は、第１切替部１４から受け取った小切手ＣＫを下方へ搬送し、下側の第２切替部１６に引き渡す。
【００４１】
このとき第２切替部１６は、制御部２０の制御により第４搬送路Ｗ４及び第５搬送路Ｗ５を繋ぐように内部の搬送経路を切り替えており、スキャナ部１５から受け取った小切手ＣＫを後搬送部１９に引き渡す。
【００４２】
後搬送部１９は、第４搬送路Ｗ４と第６搬送路Ｗ６とを結ぶように第５搬送路Ｗ５を形成しており、第２切替部１６から受け取った小切手ＣＫを前下方へ搬送し、その前下方に設けられた第１スタッカ部２２Ａに引き渡す。第１スタッカ部２２Ａは、内部に多数の小切手ＣＫを集積した状態で収納可能なスタッカや、該スタッカ内へ小切手ＣＫを放出する放出機構等を有している。また第１スタッカ部２２Ａは、前後方向に沿った第６搬送路Ｗ６が内部に形成されている。この第１スタッカ部２２Ａは、後搬送部１９から小切手ＣＫを受け取ると、該小切手ＣＫを放出機構により放出し、スタッカ内に集積した状態で収納する。
【００４３】
また第１スタッカ部２２Ａは、制御部２０の制御に基づき、第２スタッカ部２２Ｂに小切手ＣＫを収納する場合、後搬送部１９から受け取った小切手ＣＫを、第６搬送路Ｗ６を搬送させて前側の第２スタッカ部２２Ｂに引き渡す。第２スタッカ部２２Ｂは、第１スタッカ部２２Ａと同様に構成されており、前後方向に沿った第７搬送路Ｗ７が内部に形成されている。第２スタッカ部２２Ｂは、第１スタッカ部２２Ａから小切手ＣＫを受け取ると、該小切手ＣＫを放出機構により放出し、スタッカ内に集積して収納する。
【００４４】
かくして制御部２０は、エスクロ部１７に保留していた全ての小切手ＣＫを第１スタッカ部２２Ａ又は第２スタッカ部２２Ｂのスタッカ内に収納させると、収納処理を終了する。これにより制御部２０は、利用者との間における小切手ＣＫの入金取引を完了する。
【００４５】
［１−３．小切手束挿入部の構成］
図３に示すようにバンドル部１１の前側部分には、小切手束を利用者から挿入される小切手束挿入部２４が設けられている。小切手束挿入部２４は、利用者と対向する前面に、所定の厚みを有し上下左右方向に延びるフロントパネル板状部２６Ｓが形成されたフロントパネル２６が設けられている。
【００４６】
フロントパネル２６は、入金口５を有している。この入金口５は、フロントパネル２６の前面と後面とを貫通するようフロントパネル板状部２６Ｓの板厚方向に穿設されたスロット状の孔部である。また入金口５の上下方向の開口量を入金口開口量とも呼ぶ。この入金口５は、小切手束の短手方向を左右方向に沿わせた状態で、前後方向に小切手束を挿入及び排出する。フロントパネル２６の前面からは、前面視で上方が開口する略Ｕ字形状の入金口ガイド２８が前方へ突設されている。この入金口ガイド２８は、入金口５において小切手束が挿脱される際に、該小切手束の下側面、右側面及び左側面をガイドする。
【００４７】
フロントパネル２６の後側には、略平板状の板状部材であるシャッタ３０が設けられている。シャッタ３０は、フロントパネル２６の後面と対向するよう上下左右方向に延びるシャッタ板状部３０Ｐが形成されている。またシャッタ３０は、該シャッタ３０の前面と後面とを貫通するようスロット状のシャッタ開口部３０Ａがシャッタ板状部３０Ｐの板厚方向に穿設されている。シャッタ開口部３０Ａの上下方向の開口量をシャッタ開口量とも呼ぶ。またシャッタ３０の右側面における下端部からは、上下左右方向に沿う板状のディテクタ３０Ｄが右方へ突設されている。さらにシャッタ３０の右側面における上下方向の中央部からは、円筒形状のシャッタ軸３０Ｓが右方へ突設されている。
【００４８】
このシャッタ３０は、制御部２０に制御されるシャッタ駆動モータ４０により、閉鎖状態（図３）と開放状態（図４）とに上下方向に沿って往復移動する。閉鎖状態は、利用者との間で取引を行わないアイドル状態の際にシャッタ３０がシャッタ開口部３０Ａをフロントパネル２６における入金口５の下側のフロントパネル板状部２６Ｓの後側に位置させシャッタ板状部３０Ｐで入金口５を閉鎖する状態である。開放状態は、利用者が小切手束を挿入する際と小切手束を返却する際とに利用者との間で取引を行う取引状態の際に、シャッタ３０が閉鎖状態よりも上方へ移動しシャッタ開口部３０Ａの少なくとも一部分を入金口５の後側に位置させ入金口５を入金口開口量のうちの少なくとも一部分である入金時開口量だけを開放させる状態である。シャッタ３０は、入金口５を入金口開口量だけ、すなわち最大量を開放させる際、最も上方へ移動し、最大シャッタ開口状態となる。以下では、入金口５が入金口開口量よりも狭い入金時開口量であっても、僅かにでも開放されている場合、開放状態とする。またシャッタ３０は、利用者により小切手束が挿入された後と、返却されるべき小切手束を利用者が引き抜いた後とにおいては、開放状態から閉鎖状態へ遷移する。以下では、シャッタ３０を開放方向である上方へスライド移動させる際の動作をシャッタ開放動作とも呼び、シャッタ３０を閉鎖方向である下方へスライド移動させる際の動作をシャッタ閉鎖動作とも呼ぶ。
【００４９】
ディテクタ３０Ｄの移動軌跡上には、閉検知センサ３２が設けられている。閉検知センサ３２は、例えば、ディテクタ３０Ｄを通過させる溝を挟んで発光部と受光部とを前後に配置したＵ字形状の光学式のセンサであり、閉鎖状態におけるシャッタ３０の下端部の右側に配置されている。閉検知センサ３２は、図３に示すように閉鎖状態において発光部からの光をディテクタ３０Ｄが遮光したことを受光部で検出してディテクタ３０Ｄの存在を検出し、検出結果をシャッタ検出結果として制御部２０へ送出する。具体的に閉検知センサ３２は、図４に示すように開放状態においてディテクタ３０Ｄが光軸を遮っていないときは受光部が発光部からの光を受光している明状態としてＯＦＦ状態を検出する一方、閉鎖状態においてディテクタ３０Ｄが光軸を遮っているときは受光部が発光部からの光を受光していない暗状態としてＯＮ状態を検出する。制御部２０は、取得したシャッタ検出結果に基づき、シャッタ駆動モータ４０を制御する。
【００５０】
小切手束挿入部２４は、駆動機構部３４、リンク機構部３６及び位置検出部３８が設けられている。駆動機構部３４は、シャッタ駆動モータ４０とクランクギア４２とにより構成されており、リンク機構部３６を駆動させる。リンク機構部３６は、リンク４４により構成されており、駆動機構部３４の駆動に基づきシャッタ３０の開閉を行う。位置検出部３８は、シャッタ３０と閉検知センサ３２とにより構成されており、シャッタ３０のディテクタ３０Ｄを閉検知センサ３２で検出することにより、シャッタ３０の位置を制御するための基準位置を検出する。
【００５１】
シャッタ３０の後方下側には、シャッタ駆動モータ４０が設けられている。シャッタ駆動モータ４０は、制御部２０の制御に基づき供給されるパルスにより、出力軸４０Ｓを図３に示す時計回り及び反時計回りに回転させる。シャッタ駆動モータ４０の前方には、出力軸４０Ｓと噛み合う円板状のクランクギア４２が円筒形状の回転軸４２Ｓ１を左右方向に沿わせて回転可能に設けられている。クランクギア４２の右側面からは、円筒形状のクランク軸４２Ｓ２が右方へ突設されている。
【００５２】
リンク４４は、直線形状であり、上端部と下端部とに上側孔部４４Ｈｕと下側孔部４４Ｈｄとがそれぞれ穿設されている。クランク軸４２Ｓ２には、リンク４４の下端部に穿設された円形状の下側孔部４４Ｈｄが嵌まり込むことにより、リンク４４がクランク軸４２Ｓ２に固定され、該リンク４４の下端部がクランク軸４２Ｓ２と共に回転移動する。リンク４４は、上側孔部４４Ｈｕがシャッタ３０のシャッタ軸３０Ｓに嵌まり込むことにより、シャッタ３０がリンク４４に固定され、該シャッタ３０がリンク４４の上端部と共に上下移動する。
【００５３】
このように小切手束挿入部２４のリンク機構部３６は、クランクギア４２の回転移動をリンク４４により上下移動に変換してシャッタ３０へ伝達させることにより、シャッタ３０を上下方向へ沿って移動させる。
【００５４】
かかる構成において、シャッタ開放動作において小切手処理装置１０は、閉鎖状態から、制御部２０の制御に基づき、シャッタ駆動モータ４０が出力軸４０Ｓを時計回りに回転させ、クランクギア４２を反時計回りに回転させる。続いてクランクギア４２は、自身の回転移動によりリンク４４の上端部分を上方向へ移動させる。続いてリンク４４は、自身の上端部分における上方向への移動によりシャッタ３０を上方向へ移動させる。これにより閉鎖状態から開放状態へ遷移すると、閉検知センサ３２はＯＦＦ状態を検出する。
【００５５】
ここで小切手処理装置１０は、閉検知センサ３２がＯＮ状態からＯＦＦ状態へ変化したか検出し、検出した位置をシャッタ３０の基準位置とする。小切手処理装置１０は、基準位置から、挿入時に挿入を許可された小切手の枚数に応じて、指定パルス数分のパルスをシャッタ駆動モータ４０へ送り、指定パルス数分だけシャッタ３０を上方へ移動させた後にシャッタ３０を停止させる。
【００５６】
一方シャッタ閉鎖動作において小切手処理装置１０は、開放状態から、制御部２０の制御に基づき、シャッタ駆動モータ４０が出力軸４０Ｓを時計回りに回転させ、クランクギア４２を反時計回りに回転させる。続いてクランクギア４２は、自身の回転移動によりリンク４４の上端部分を下方向へ移動させる。続いてリンク４４は、自身の上端部分における下方向への移動によりシャッタ３０を下方向へ移動させる。これにより開放状態から閉鎖状態へ遷移すると、閉検知センサ３２はＯＮ状態を検出する。
【００５７】
ここで小切手処理装置１０は、閉検知センサ３２がＯＦＦ状態からＯＮ状態へ変化したか監視し、挿入時に挿入を許可された小切手の枚数に応じて、指定パルス数分のパルスをシャッタ駆動モータ４０へ送り、指定パルス数分だけシャッタ３０を下方向へ移動させた後にシャッタ３０を停止させ、閉検知センサ３２がＯＦＦ状態からＯＮ状態へ変化したことを検出する。
【００５８】
［１−４．入金時開口量設定方法］
小切手処理装置１０は、保守作業において以下の操作がされることにより、入金取引時において利用者に挿入される小切手の枚数である設定入金枚数が予め設定される。主制御部９は、行員により現金自動取引装置１の保守作業が行われる際、図５（Ａ）に示す保守画面ＤＩＰ１を操作表示部６に表示させる。保守画面ＤＩＰ１において設定ボタンＢＴ１が行員により選択されると、主制御部９は図５（Ｂ）に示す保守画面ＤＩＰ２を操作表示部６に表示させる。保守画面ＤＩＰ２において小切手入金ボタンＢＴ２が行員により選択されると、主制御部９は図５（Ｃ）に示す保守画面ＤＩＰ３を操作表示部６に表示させる。保守画面ＤＩＰ３において入金枚数設定ボタンＢＴ３が行員により選択されると、主制御部９は図５（Ｄ）に示す保守画面ＤＩＰ４を操作表示部６に表示させる。保守画面ＤＩＰ４において入金枚数増加ボタンＢＴＩが行員により選択されると設定入金枚数が増加する一方、入金枚数増加ボタンＢＴＤが選択されると設定入金枚数が減少する。制御部２０は、設定入金枚数表示部ＤＳＤＮに現在の設定入金枚数を表示させる。
【００５９】
設定入金枚数が行員により設定され主制御部９から通達されると制御部２０は、該設定入金枚数に基づく入金時開口量を設定する。具体的には制御部２０は、図６に示す入金時開口量表ＴＢのように、設定入金枚数が１〜５枚の場合は入金時開口量を２．０［ｍｍ］、設定入金枚数が６〜１０枚の場合は入金時開口量を３．０［ｍｍ］、設定入金枚数が１１〜１５枚の場合は入金時開口量を４．０［ｍｍ］、設定入金枚数が１６〜２０枚の場合は入金時開口量を５．０［ｍｍ］、設定入金枚数が２１〜２５枚の場合は入金時開口量を５．５［ｍｍ］、設定入金枚数が２６〜３０枚の場合は入金時開口量を６．０［ｍｍ］、設定入金枚数が３１〜３５枚の場合は入金時開口量を６．５［ｍｍ］、設定入金枚数が３６〜４０枚の場合は入金時開口量を７．０［ｍｍ］、設定入金枚数が４１〜４５枚の場合は入金時開口量を７．５［ｍｍ］、設定入金枚数が４６〜５０枚の場合は入金時開口量を８．０［ｍｍ］に設定する。このように小切手処理装置１０は、入金取引に先立ち、予め行員に設定された設定入金枚数に基づき、挿入される小切手の枚数が多い程、入金口５の開口量が大きくなるような入金時開口量を設定する。
【００６０】
入金取引において制御部２０は、設定した入金時開口量となるようにシャッタ３０を上昇させ、入金口５を入金時開口量だけ開放させる。
【００６１】
［１−５．シャッタ開放処理手順］
次に、小切手処理装置１０においてシャッタ３０を閉鎖状態から開放状態へ遷移させる際のシャッタ開放動作が行われる際に実行されるシャッタ開放処理の具体的な処理手順について、図７のフローチャートを用いて説明する。入金取引が利用者に選択されると制御部２０は、図示しないＲＯＭからシャッタ開放処理プログラムを読み出して実行することによりシャッタ開放処理手順ＲＴ１を開始し、ステップＳＰ１へ移る。
【００６２】
ステップＳＰ１において制御部２０は、シャッタ駆動モータ４０の時計回りへの回転を開始させ、ステップＳＰ２へ移る。ステップＳＰ２において制御部２０は、閉検知センサ３２がＯＦＦ状態を検出したか否かの監視を開始し、ステップＳＰ３へ移る。ステップＳＰ３において制御部２０は、シャッタ駆動モータ４０へ指定パルスを送ることによりシャッタ駆動モータ４０を時計回りに回転させ、ステップＳＰ４へ移る。ステップＳＰ４において制御部２０は、シャッタ駆動モータ４０の回転を停止させ、ステップＳＰ５へ移る。ステップＳＰ５において制御部２０は、安定時間分だけ待機し、ステップＳＰ６へ移る。ステップＳＰ６において制御部２０は、閉検知センサ３２がＯＦＦ状態になったことを確認し、ステップＳＰ７へ移りシャッタ開放処理手順ＲＴ１を終了する。
【００６３】
［１−６．シャッタ閉鎖処理手順］
次に、小切手処理装置１０においてシャッタ３０を開放状態から閉鎖状態へ遷移させる際のシャッタ閉鎖動作が行われる際に実行されるシャッタ閉鎖処理の具体的な処理手順について、図８のフローチャートを用いて説明する。入金取引において利用者から小切手束を挿入されると制御部２０は、図示しないＲＯＭからシャッタ閉鎖処理プログラムを読み出して実行することによりシャッタ閉鎖処理手順ＲＴ２を開始し、ステップＳＰ１１へ移る。
【００６４】
ステップＳＰ１１において制御部２０は、シャッタ駆動モータ４０の時計回りへの回転を開始させ、ステップＳＰ１２へ移る。ステップＳＰ１２において制御部２０は、閉検知センサ３２がＯＮ状態を検出したか否かの監視を開始し、ステップＳＰ１３へ移る。ステップＳＰ１３において制御部２０は、シャッタ駆動モータ４０へ指定パルスを送ることによりシャッタ駆動モータ４０を時計回りに回転させ、ステップＳＰ１４へ移る。ステップＳＰ１４において制御部２０は、シャッタ駆動モータ４０の回転を停止させ、ステップＳＰ１５へ移る。ステップＳＰ１５において制御部２０は、安定時間分だけ待機し、ステップＳＰ１６へ移る。ステップＳＰ１６において制御部２０は、閉検知センサ３２がＯＮ状態になったことを確認し、ステップＳＰ１７へ移りシャッタ閉鎖処理手順ＲＴ２を終了する。
【００６５】
［１−７．効果等］
ここで、入金される小切手束の厚さが２［ｍｍ］程度であるにも関わらず、入金口５の開口量を例えば８［ｍｍ］も開けてしまうと、小切手束の上面と入金口５の上縁部との間に余分な空間が形成されてしまい、その余分な空間が利用されて、想定以上の大量枚数の小切手が挿入されたり、強い癖がついた小切手が挿入されたり、取り扱い対象小切手以外の異物が挿入されたりしてしまう可能性がある。
【００６６】
これに対し現金自動取引装置１は、入金口５に挿入される小切手の枚数に応じた入金口５の開口量となるようにシャッタ３０を移動させるようにした。すなわち現金自動取引装置１は、入金時開口量表ＴＢ（図６）に示したように、設定入金枚数が例えば５枚までの場合は、５枚重ねられた小切手の小切手束が入金口５を通過可能でありながら、且つ小切手束と入金口５の上縁部との間に余分な空間が形成されないように、入金口５を必要最小限の開口量だけ開放させるようにした。
【００６７】
これにより現金自動取引装置１は、挿入される小切手の枚数に応じて入金口５の開口量をシャッタ３０で制限することができ、想定以上の大量枚数の小切手の挿入や、強い癖がついた小切手の挿入や、取り扱い対象小切手以外の異物の挿入を抑制できる。
【００６８】
また従来、現金自動取引装置内部の所定の部分を外部から視認できなくするために、入金口５を全開にしない入出金部があったが、本実施の形態による小切手束挿入部２４は、挿入される小切手の枚数、すなわち小切手束全体の厚さに応じて入金口５の開口量を変動させるため、それとは異なる技術的思想である。
【００６９】
以上の構成によれば現金自動取引装置１は、紙葉状の媒体である小切手に関する取引を受け付ける顧客応対部３と、小切手束が挿入される入金口５と、入金口５を開閉するシャッタ３０と、入金口５に挿入される小切手の枚数に応じた入金口５の開口量となるようにシャッタ３０を移動させる制御部２０とを設けるようにした。これにより現金自動取引装置１は、挿入される小切手の枚数に応じて入金口５の開口量をシャッタ３０で制限することができ、想定以上の大量枚数の小切手の挿入や、強い癖がついた小切手の挿入や、取り扱い対象小切手以外の異物の挿入を抑制できる。
【００７０】
［２．第２の実施の形態］
［２−１．現金自動取引装置及び小切手処理装置の内部構成］
第２の実施の形態による現金自動取引装置１０１（図１）は、第１の実施の形態による現金自動取引装置１と比較して、小切手処理装置１０に代わる小切手処理装置１１０を有する点において相違するものの、他の点については同様に構成されている。小切手処理装置１１０（図２）は、第１の実施の形態による小切手処理装置１０と比較して、バンドル部１１の小切手束挿入部２４に代わるバンドル部１１１の小切手束挿入部１２４を有する点において相違するものの、他の点については同様に構成されている。
【００７１】
［２−２．小切手束挿入部の構成］
図９と、図１０及び図１１と、図３と対応する部材に同一符号を付した図１２とに示すように、小切手束挿入部１２４は、入金口５の後側における上側に、挿入された小切手束の上側をガイドする上側ガイド５０が、下側に、挿入された小切手束の下側をガイドする下側ガイド５２がそれぞれ設けられている。小切手挿入部１２４の右端部の図示せぬフレーム構造体からは、Ｌ字リンク６２の回転支点となる円筒形状のガイド軸５０Ｓが右方へ突設されている。
【００７２】
フロントパネル２６の後側には、板状部材であるシャッタ１３０が設けられている。シャッタ１３０は、平面視で略Ｌ字形状であり、前側においてフロントパネル２６の後面と対向するよう上下左右方向に延びるシャッタ前板１３０Ｆと、シャッタ前板１３０Ｆの右端部から後方へ向かって屈曲し上下前後方向に延びるシャッタ右側板１３０Ｒとが形成されている。またシャッタ１３０は、シャッタ前板１３０Ｆの前面と後面とを貫通するようスロット状のシャッタ開口部１３０Ａがシャッタ前板１３０Ｆの板厚方向に穿設されている。またシャッタ右側板１３０Ｒの下端部の右側からは、上下左右方向に沿う板状のディテクタ１３０Ｄが右方へ突設されている。シャッタ右側板１３０Ｒの右側からは、円筒形状のシャッタ軸１３０Ｓが右方へ突設されている。
【００７３】
ディテクタ１３０Ｄの移動軌跡上には、閉検知センサ３２が設けられている。閉検知センサ３２は、検出結果をシャッタ検出結果として制御部２０へ送出する。制御部２０は、取得したシャッタ検出結果に基づき、シャッタ駆動モータ４０を制御すると共に、シャッタ１３０が確実に閉鎖していることを確認する。
【００７４】
小切手束挿入部１２４は、駆動機構部１３４、リンク機構部１３６及び位置検出部１３８が設けられている。駆動機構部１３４は、シャッタ駆動モータ４０とギア５４とにより構成されており、リンク機構部１３６を駆動させる。リンク機構部１３６は、ディテクタ付きクランクギア５６、第１リンクとしてのリンク１４４、第２リンクとしてのＩ字リンク６０、第３リンクとしてのＬ字リンク６２及びスプリング６４により構成されており、駆動機構部１３４の駆動に基づきシャッタ１３０の開閉を行う。位置検出部１３８は、ディテクタ付きクランクギア５６及び開閉検知センサ５８とシャッタ１３０及び閉検知センサ３２とにより構成されており、ディテクタ付きクランクギア５６のディテクタ部５６Ｄを開閉検知センサ５８で検出すると共に、シャッタ３０のディテクタ３０Ｄを閉検知センサ３２で検出することにより、シャッタ１３０の位置を制御するための基準位置を検出すると共に、シャッタ１３０が確実に閉鎖していることを確認する。
【００７５】
シャッタ１３０の後方下側には、シャッタ駆動モータ４０が設けられている。シャッタ駆動モータ４０は、制御部２０の制御に基づき供給されるパルスにより、出力軸４０Ｓを図１２に示す時計回り及び反時計回りに回転させる。シャッタ駆動モータ４０の前方には、出力軸４０Ｓと噛み合う円板状のギア５４が回転軸５４Ｓを左右方向に沿わせて回転可能に設けられている。
【００７６】
ギア５４の前方には、該ギア５４と噛み合う略円板状のディテクタ付きクランクギア５６が円筒形状の回転軸５６Ｓ１を左右方向に沿わせて回転可能に設けられている。ディテクタ付きクランクギア５６の右側面からは、円筒形状のクランク軸５６Ｓ２が右方へ突設されている。ディテクタ付きクランクギア５６は、ギア部５６Ｇとディテクタ部５６Ｄとから構成されている。ギア部５６Ｇは円板状であり、周側面がギア５４と噛み合っている。ディテクタ部５６Ｄは、左右方向の厚さが薄い板状であり、ギア部５６Ｇにおける右側面から半径方向に沿って突設しており、外周面が円形のほぼ６分の１程度に形成されている。
【００７７】
ディテクタ部５６Ｄの移動軌跡上には、開閉検知センサ５８が設けられている。開閉検知センサ５８は、閉検知センサ３２とほぼ同様に構成されており、例えば、ディテクタ部５６Ｄを通過させる溝を挟んで発光部と受光部とを左右に配置したＵ字状の光学式のセンサであり、ディテクタ付きクランクギア５６の上方に配置されている。開閉検知センサ５８は、発光部からの光をディテクタ部５６Ｄが遮光したことを受光部で検出してディテクタ部５６Ｄの存在を検出し、検出結果をディテクタ部検出結果として制御部２０へ送出する。具体的に開閉検知センサ５８は、ディテクタ部５６Ｄが光軸を遮っていないときは受光部が発光部からの光を受光している明状態としてＯＦＦ状態を検出する一方、ディテクタ部５６Ｄが光軸を遮っているときは受光部が発光部からの光を受光していない暗状態としてＯＮ状態を検出する。制御部２０は、取得したディテクタ部検出結果に基づき、シャッタ駆動モータ４０を制御する。
【００７８】
リンク１４４は、直線形状であり、上端部と下端部とに上側孔部１４４Ｈｕと下側孔部１４４Ｈｄとがそれぞれ穿設されている。ディテクタ付きクランクギア５６のクランク軸５６Ｓ２には、リンク１４４の下端部に穿設された円形状の下側孔部１４４Ｈｄが嵌まり込むことにより、リンク１４４がクランク軸５６Ｓ２に固定され、該リンク１４４の下端部がクランク軸５６Ｓ２と共に回転移動する。またリンク１４４は、上端部近傍においてシャッタ１３０の所定の移動範囲をカバーするように、リンク１４４の長手方向に沿って延びる直線状の上側孔部１４４Ｈｕが穿設されており、Ｉ字リンク６０のピン６０Ｐが上側孔部１４４Ｈｕに摺動可能に挿入されることにより、Ｉ字リンク６０へ駆動力を伝達する。このように小切手束挿入部１２４のリンク機構部１３６は、ディテクタ付きクランクギア５６の回転移動をリンク１４４により上下移動に変換してシャッタ１３０へ伝達させることにより、シャッタ１３０を上下方向へ沿って移動させる。
【００７９】
Ｉ字リンク６０は、直線形状であり、下端部に穿設された円形の下側孔部６０Ｈに挿入された、シャッタ１３０のシャッタ軸１３０Ｓを支点に回動可能に構成されている。図１２に示す閉鎖状態においては、シャッタ軸１３０Ｓの上側の後方にピン６０Ｐが位置している。ピン６０Ｐは、リンク１４４の上側孔部１４４Ｈｕを下端部と上端部との間で摺動可能に構成されている。
【００８０】
リンク１４４とＩ字リンク６０との間には、Ｌ字リンク６２が設けられている。Ｌ字リンク６２は、側面視でＬ字形状であり、前面視で下方が開口する略Ｕ字形状となっている。またＬ字リンク６２は、右側においてリンク１４４の左側面と対向するよう上下前後方向に延びるＬ字リンク右側板６２Ｒと、左側においてＩ字リンク６０の右側面と対向するよう上下前後方向に延びるＬ字リンク左側板６２Ｌと、Ｌ字リンク右側板６２ＲとＬ字リンク左側板６２Ｌとに対し９０度屈曲し該Ｌ字リンク右側板６２Ｒと該Ｌ字リンク左側板６２Ｌとを接続するＬ字リンク上側板６２Ｕとが形成されている。このＬ字リンク上側板６２Ｕは、閉鎖状態においてシャッタ１３０のシャッタ右側板１３０Ｒの上端面と僅かに間隔を空けて、シャッタ右側板１３０Ｒの上端面の上方に位置している。Ｌ字リンク６２は、Ｌ字リンク右側板６２Ｒ及びＬ字リンク左側板６２Ｌに穿設された円形の軸孔部６２Ｈ１に挿入された、上側ガイド５０のガイド軸５０Ｓを支点に回動可能に構成されている。またＬ字リンク６２は、Ｌ字リンク右側板６２Ｒにおいて軸孔部６２Ｈ１よりも下側に穿設された円形のピン孔部６２Ｈ２に、Ｉ字リンク６０のピン６０Ｐが挿入されることにより、Ｉ字リンク６０から駆動力を伝達される。
【００８１】
図１２に示す閉鎖状態においては、ピン６０Ｐのほぼ真上よりも僅かに後側にガイド軸５０Ｓが位置している。ここで閉鎖状態においては、ガイド軸５０Ｓの回動中心とシャッタ軸１３０Ｓの回動中心とを結ぶ仮想線Ｌ１よりもシャッタ１３０から離隔する後側にピン６０Ｐが位置している。
【００８２】
リンク１４４の下端部に穿設された孔部には、付勢部材としてのスプリング６４の下端が固定されている。このスプリング６４は引張ばねであり、上端がピン６０Ｐに固定されることにより、ピン６０Ｐをリンク１４４の上側孔部１４４Ｈｕにおける下端部の縁に押し付けるよう付勢している。これによりスプリング６４は、ピン６０Ｐがリンク１４４の上側孔部１４４Ｈｕに沿って下端部から上端部側へ移動した際に、ピン６０Ｐを下端部に向かって、すなわちシャッタ１３０を閉鎖させる方向へ付勢する。
【００８３】
上述したようにＩ字リンク６０のピン６０Ｐは、リンク１４４の上側孔部１４４Ｈｕを摺動可能に構成されている。このため開放状態においてシャッタ１３０が外部から開放方向へ力を受けると、図１４に示すようにＩ字リンク６０は、シャッタ１３０により下端部が上方へ持ち上げられ、スプリング６４の付勢力に逆らって、ピン６０Ｐを上側孔部１４４Ｈｕの内部を上方へ摺動させる。またこのときＬ字リンク６２は時計回りへ回動する。このため開放状態においては、シャッタ１３０に開放方向への力が加わると、ピン６０Ｐが上側孔部１４４Ｈｕの内部を上方へ摺動しつつ、シャッタ１３０が開放方向へ移動する。
【００８４】
開放状態における挿入時において、小切手束がシャッタ１３０の入金時開口量よりも厚みがあった場合、シャッタ１３０が小切手束により開放方向に押されることとなる。開放状態においてシャッタ１３０が開放方向に押されると、ピン６０Ｐが上側孔部１４４Ｈｕの内部を上方へ摺動しつつ、シャッタ１３０が開放方向へ移動するため、挿入されようとしている小切手束の厚さと同じ入金口５の開口量になるまでシャッタ１３０が開放方向へ移動する。これにより小切手束は、バンドル部１１１の内部へ正常に挿入される。
【００８５】
小切手束がバンドル部１１１の内部へ正常に挿入され、小切手束の搬送方向上流側端部がシャッタ１３０よりも後方へ移動すると、スプリング６４の付勢力により、ピン６０Ｐが上側孔部１４４Ｈｕの内部を下方へ摺動するため、シャッタ１３０が閉鎖方向へ移動し、閉鎖状態となる。
【００８６】
また上述したように閉鎖状態においては、図１２に示すようにガイド軸５０Ｓの回動中心とシャッタ軸１３０Ｓの回動中心とを結ぶ仮想線Ｌ１よりも後側にピン６０Ｐが位置している。このため閉鎖状態においてシャッタ１３０が外部から開放方向へ力を受けると、図１５に示すようにＩ字リンク６０は、シャッタ１３０により下端部が上方へ持ち上げられて、シャッタ１３０を閉鎖させる際の方向である時計回りへ回動すると共に、スプリング６４の付勢力に逆らって、ピン６０Ｐを上側孔部１４４Ｈｕの内部を上方へ僅かに摺動させる。
【００８７】
またこのときＬ字リンク６２は、シャッタ１３０を閉鎖させる際の方向である反時計回りへ回動し、Ｌ字リンク上側板６２Ｕがシャッタ１３０のシャッタ右側板１３０Ｒの上端面に当接することにより、それ以上のＬ字リンク６２の反時計回りへの回動がシャッタ右側板１３０Ｒにより規制される。このため閉鎖状態においては、シャッタ１３０に開放方向への力が加わると、図１５に示すように、シャッタ１３０の動きに連動してＬ字リンク６２が回動してシャッタ１３０のシャッタ右側板１３０Ｒの上端面に当接することにより、該シャッタ右側板１３０Ｒがリミッタとなり、シャッタ１３０の開放方向への移動が規制され、ロック状態となる。これにより小切手束挿入部１２４は、閉鎖状態においてはシャッタ１３０が外部からの力により開放されようとしても開放方向へ移動しないようにでき、シャッタ１３０が開放してしまうことを防止できる。
【００８８】
かかる構成において、シャッタ開放動作において小切手処理装置１１０は、閉鎖状態から、制御部２０の制御に基づき、シャッタ駆動モータ４０が出力軸４０Ｓを時計回りに回転させ、それぞれギア５４を反時計回りに、ディテクタ付きクランクギア５６を時計回りに回転させる。続いてディテクタ付きクランクギア５６は、自身の回転移動によりリンク１４４の上端部分を上方向へ移動させる。続いてリンク１４４は、自身の上端部分における上方向への移動により、それぞれＩ字リンク６０を反時計回りに、Ｌ字リンク６２を時計回りに回転させる。またこれと共にリンク１４４は、自身の上端部分における上方向への移動により、シャッタ１３０を上方向へ移動させる。これにより閉鎖状態から図１３に示す開放状態へ遷移すると、閉検知センサ３２はＯＦＦ状態を検出する。
【００８９】
ここで、入金取引における小切手束の挿入時におけるシャッタ開放動作の場合、小切手処理装置１１０は、ディテクタ付きクランクギア５６を回転させ、開閉検知センサ５８がＯＮ状態からＯＦＦ状態へ変化したかを検出し、検出した位置をシャッタ１３０の基準位置とする。小切手処理装置１１０は、基準位置から、挿入時に挿入を許可された小切手の枚数に応じて、指定パルス数分のパルスをシャッタ駆動モータ４０へ送り、指定パルス数分だけシャッタ１３０を上方向へ移動させた後にシャッタ１３０を停止させる。
【００９０】
一方、入金取引における小切手束の返却処理の場合、小切手処理装置１１０は、ディテクタ付きクランクギア５６を回転させ、開閉検知センサ５８がＯＮ状態からＯＦＦ状態へ変化したかを検出し、検出した位置をシャッタ１３０の基準位置とする。小切手処理装置１１０は、基準位置から最大シャッタ開口状態となる分だけの、指定パルス数分のパルスをシャッタ駆動モータ４０へ送り、指定パルス数分だけシャッタ１３０を上方向へ移動させ、最大シャッタ開口状態とした後にシャッタ１３０を停止させる。
【００９１】
一方シャッタ閉鎖動作において小切手処理装置１１０は、開放状態から、制御部２０の制御に基づき、シャッタ駆動モータ４０が出力軸４０Ｓを反時計回りに回転させ、それぞれギア５４を時計回りに、ディテクタ付きクランクギア５６を反時計回りに回転させる。続いてディテクタ付きクランクギア５６は、自身の回転移動によりリンク１４４の上端部分を下方向へ移動させる。続いてリンク１４４は、自身の上端部分における上方向への移動により、それぞれＩ字リンク６０を時計回りに、Ｌ字リンク６２を反時計回りに回転させる。またこれと共にリンク１４４は、自身の上端部分における下方向への移動により、シャッタ１３０を下方向へ移動させる。これにより開放状態から閉鎖状態へ遷移すると、閉検知センサ３２はＯＮ状態を検出する。
【００９２】
［２−３．シャッタ開放処理手順］
次に、小切手処理装置１１０においてシャッタ１３０を閉鎖状態から開放状態へ遷移させる際のシャッタ開放動作が行われる際に実行されるシャッタ開放処理の具体的な処理手順について、図１６のフローチャートを用いて説明する。入金取引が利用者に選択されると制御部２０は、図示しないＲＯＭからシャッタ開放処理プログラムを読み出して実行することによりシャッタ開放処理手順ＲＴ１１を開始し、後述するリトライ回数を０回にリセットし、ステップＳＰ２１へ移る。
【００９３】
ステップＳＰ２１において制御部２０は、シャッタ駆動モータ４０の時計回りへの回転を開始させ、ステップＳＰ２２へ移る。ステップＳＰ２２において制御部２０は、開閉検知センサ５８がＯＮ状態からＯＦＦ状態への変化を検出したか否かの監視を開始し、ステップＳＰ２３へ移る。ステップＳＰ２３において制御部２０は、シャッタ駆動モータ４０へ指定パルスを送ることによりシャッタ駆動モータ４０を時計回りに回転させ、ステップＳＰ２４へ移る。ステップＳＰ２４において制御部２０は、シャッタ駆動モータ４０の回転を停止させ、ステップＳＰ２５へ移る。ステップＳＰ２５において制御部２０は、安定時間分だけ待機し、ステップＳＰ２６へ移る。ステップＳＰ２６において制御部２０は、閉検知センサ３２及び開閉検知センサ５８がＯＦＦ状態であるか否かを判定する。
【００９４】
ここで否定結果が得られると、このことは、閉検知センサ３２又は開閉検知センサ５８の少なくとも何れかはＯＮ状態であるため入金口５が設定された入金時開口量まで開放されていないことを表し、このとき制御部２０は、ステップＳＰ２７へ移る。ステップＳＰ２７において制御部２０は、リトライ回数が、予め設定されたリトライ上限回数以下か否かを判定する。ここで肯定結果が得られると、このとき制御部２０はステップＳＰ２１へ戻り、上述した処理を繰り返す。一方ステップＳＰ２７において否定結果が得られると、このとき制御部２０はステップＳＰ２８へ移り、リトライオーバーとしてステップＳＰ２９へ移りシャッタ開放処理手順ＲＴ１１を終了する。一方ステップＳＰ２６において肯定結果が得られると、このことはシャッタ１３０が設定された入金時開口量まで開放されたことを表し、このとき制御部２０は、ステップＳＰ２７へ移りシャッタ開放処理手順ＲＴ１１を終了する。
【００９５】
［２−４．シャッタ閉鎖処理手順］
次に、小切手処理装置１１０においてシャッタ１３０を開放状態から閉鎖状態へ遷移させる際のシャッタ閉鎖動作が行われる際に実行されるシャッタ閉鎖処理の具体的な処理手順について、図１７のフローチャートを用いて説明する。入金取引において利用者から小切手束を挿入されると制御部２０は、図示しないＲＯＭからシャッタ閉鎖処理プログラムを読み出して実行することによりシャッタ閉鎖処理手順ＲＴ１２を開始し、後述するリトライ回数を０回にリセットし、ステップＳＰ３１へ移る。
【００９６】
ステップＳＰ３１において制御部２０は、シャッタ駆動モータ４０の反時計回りへの回転を開始させ、ステップＳＰ３２へ移る。ステップＳＰ３２において制御部２０は、開閉検知センサ５８がＯＦＦ状態からＯＮ状態への変化を検出したか否かの監視を開始し、ステップＳＰ３３へ移る。ステップＳＰ３３において制御部２０は、シャッタ駆動モータ４０へ指定パルスを送ることによりシャッタ駆動モータ４０を反時計回りに回転させ、ステップＳＰ３４へ移る。ステップＳＰ３４において制御部２０は、シャッタ駆動モータ４０の回転を停止させ、ステップＳＰ３５へ移る。ステップＳＰ３５において制御部２０は、安定時間分だけ待機し、ステップＳＰ３６へ移る。ステップＳＰ３６において制御部２０は、閉検知センサ３２及び開閉検知センサ５８がＯＮ状態であるか否かを判定する。
【００９７】
ここで否定結果が得られると、このことは閉鎖状態となっていないことを表し、このとき制御部２０は、ステップＳＰ３７へ移る。ステップＳＰ３７において制御部２０は、開閉検知センサ５８がＯＮ状態か又はＯＦＦ状態の何れであるかを判定する。ここでＯＦＦ状態と判定されると、このとき制御部２０はステップＳＰ３８へ移る。ステップＳＰ３８において制御部２０は、リトライ回数が、予め設定されたリトライ上限回数以下か否かを判定する。ここで肯定結果が得られると、このとき制御部２０はステップＳＰ３１へ戻り、上述した処理を繰り返す。一方ステップＳＰ３８において否定結果が得られると、このとき制御部２０はステップＳＰ３９へ移り、リトライオーバーとしてステップＳＰ４１へ移りシャッタ閉鎖処理手順ＲＴ１２を終了する。一方ステップＳＰ３７においてＯＮ状態と判定されると、このことはシャッタ１３０が破壊された可能性があることを表し、このとき制御部２０はステップＳＰ４０へ移り、シャッタ破壊エラーとしてステップＳＰ４１へ移りシャッタ閉鎖処理手順ＲＴ１２を終了する。また一方ステップＳＰ３６において肯定結果が得られると、このことは閉鎖状態となったことを表し、このとき制御部２０は、ステップＳＰ４２へ移りシャッタ閉鎖処理手順ＲＴ１２を終了する。
【００９８】
［２−５．効果等］
かかる構成において小切手束挿入部１２４は、開放状態においてシャッタ１３０に開放方向への力が加わると小切手束の厚さに応じてシャッタ１３０を開放方向へ、入金口５が最大の開口量である入金口開口量となるまで最大で移動させるようにした。すなわち小切手束挿入部１２４は、小切手束の厚さに合わせた入金時開口量となるようにシャッタ１３０を上方へ退避させるようにした。このため小切手束挿入部１２４は、ふわふわした小切手のような条件の悪い小切手が挿入された場合でも、小切手の挿入途中で該小切手が入金口５に引っ掛かってしまうことを防ぐことができ、より多くの悪い条件下にある小切手であっても挿入可能にできる。
【００９９】
さらに小切手束挿入部１２４は、閉鎖状態においてシャッタ１３０に開放方向への力が加わっても、シャッタ１３０を開放方向へ移動させないようにした。このため小切手束挿入部１２４は、利用者との取引を行わない閉鎖状態において、入金口５が開口しないようにし、小切手処理装置１１０内部の機構及び小切手を外部から保護できる。また小切手束挿入部１２４は、閉鎖状態においてシャッタ１３０をロックさせる機構を別途追加することなく、シャッタ１３０の開閉に用いられるリンク機構部１３６の配置関係と動き方を工夫するだけで、閉鎖状態において外部からはシャッタ１３０を開放させないようにできる。
【０１００】
さらに小切手束挿入部１２４は、入金時開口量を、挿入時には取引枚数に合わせて狭くする一方、返却処理時は挿入時よりも広く、入金口開口量まで開放させるようにした。すなわち小切手束挿入部１２４は、小切手束の挿入時と返却処理時とでシャッタ１３０の開口量を変化させるようにした。このため小切手束挿入部１２４は、挿入時とは異なる入金時開口量を、センサを追加することなく設定することが可能となり、返却処理時に癖の強い小切手等、状態の悪い小切手を正常に排出できる。
【０１０１】
その他第２の実施の形態による小切手束挿入部１２４は、第１の実施の形態による小切手束挿入部２４と同様の作用効果を奏し得る。
【０１０２】
［３．他の実施の形態］
なお上述した第２の実施の形態においては、ディテクタ付きクランクギア５６と開閉検知センサ５８とによりシャッタ１３０の基準位置を検出する場合について述べた。本発明はこれに限らず、シャッタ１３０の位置に連動して位置が変化する、種々の位置に設けられたディテクタを、ディテクタの移動軌跡上の種々の位置に設けられたセンサで検出することにより、シャッタ１３０の基準位置を検出しても良い。
【０１０３】
また上述した第２の実施の形態においては、入金時開口量を、挿入時には取引枚数に合わせて狭くする一方、返却処理時は入金口開口量まで開放させる場合について述べた。本発明はこれに限らず、返却処理の入金時開口量を、挿入時よりも僅かに広い開口量等にする等、返却処理時の開口量を指定しても良い。要は返却処理時の開口量を挿入時よりも広くすれば良い。
【０１０４】
さらに上述した第２の実施の形態においては、返却処理時の入金時開口量を挿入時よりも広くする場合について述べた。本発明はこれに限らず、第１の実施の形態のように、返却処理時の入金時開口量を挿入時と同等にしても良い。
【０１０５】
また上述した第１の実施の形態においては、小切手束を外部から挿入させる小切手束挿入部２４に本発明を適用する場合について述べた。本発明はこれに限らず、紙葉状の媒体が束状に重なった媒体束を外部から挿入させる媒体束挿入部に本発明を適用しても良い。第２の実施の形態についても同様である。
【０１０６】
さらに上述した第１の実施の形態においては、上下方向に沿ってシャッタ３０をスライド移動させる小切手束挿入部２４に本発明を適用する場合について述べた。本発明はこれに限らず、前後方向や左右方向等の水平方向等、種々の方向に沿ってシャッタをスライド移動させる小切手束挿入部に本発明を適用しても良い。第２の実施の形態についても同様である。
【０１０７】
さらに上述した第１の実施の形態においては、シャッタ開放動作において上方へ、シャッタ閉鎖動作において下方へシャッタ３０をスライド移動させる小切手束挿入部２４に本発明を適用する場合について述べた。本発明はこれに限らず、シャッタ開放動作において下方へ、シャッタ閉鎖動作において上方へシャッタ３０をスライド移動させる小切手束挿入部に本発明を適用しても良い。第２の実施の形態についても同様である。
【０１０８】
さらに上述した第１の実施の形態においては、設定入金枚数を行員が設定し、該設定入金枚数に応じて入金時開口量を設定する場合について述べた。本発明はこれに限らず、一般顧客が入金取引前に設定入金枚数を設定したり、現金自動取引装置が設置される地域等の環境に応じて入金時開口量を設定したり、高齢者が現金自動取引装置を使用する場合は入金時開口量を狭めにする等設定したりしても良い。第２の実施の形態についても同様である。
【０１０９】
さらに上述した第１の実施の形態においては、現金自動取引装置１の前面に設けられた操作表示部６に保守画面ＤＩＰ１、ＤＩＰ２、ＤＩＰ３及びＤＩＰ４を表示させる場合について述べた。本発明はこれに限らず、現金自動取引装置１の後面に設けられた操作表示部に保守画面ＤＩＰ１、ＤＩＰ２、ＤＩＰ３及びＤＩＰ４を表示させても良い。第２の実施の形態についても同様である。
【０１１０】
さらに上述した第１の実施の形態においては、小切手束が挿入される入金口５を有する小切手束挿入部２４に本発明を適用する場合について述べた。本発明はこれに限らず、種々の媒体が挿入及び排出される入出金口を有する入出金部に本発明を適用しても良い。第２の実施の形態についても同様である。
【０１１１】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１１２】
さらに上述した実施の形態においては、現金を取引する現金自動取引装置１に本発明を適用する場合について述べた。本発明はこれに限らず、例えば商品券や金券、入場券等のような薄い紙状の媒体を取り扱う種々の装置に本発明を適用しても良い。また、例えば紙幣を入出する紙幣入出金機や紙幣を所定枚数毎に施封する施封小束支払機等、紙幣や硬貨の取引に関する種々の処理を行う複数種類の装置の組み合わせにより構成された現金処理装置に本発明を適用してもよい。
【０１１３】
さらに上述した第１の実施の形態においては、利用者応対部としての顧客応対部３と、挿入口としての入金口５と、シャッタとしてのシャッタ３０と、制御部としての制御部２０とによって、自動取引装置としての現金自動取引装置１を構成する場合について述べた。本発明はこれに限らず、その他種々の構成でなる利用者応対部と、挿入口と、シャッタと、制御部とによって、自動取引装置を構成しても良い。
【産業上の利用可能性】
【０１１４】
本発明は、顧客との間で紙幣の入出金に関する取引処理を行う現金自動取引装置等でも利用できる。
【符号の説明】
【０１１５】
１、１０１……現金自動取引装置、２……筐体、３……顧客応対部、４……カード入出口、５……入金口、６……操作表示部、７……テンキー、８……レシート発行口、９……主制御部、１０、１１０……小切手処理装置、１１、１１１……バンドル部、１２……分離部、１３……アライナ部、１４……第１切替部、１５……スキャナ部、１６……第２切替部、１７……エスクロ部、１８……リトラクト部、１９……後搬送部、２０……制御部、２１……処理装置筐体、２２……スタッカ部、Ｗ……搬送路、Ｗ１……第１搬送路、Ｗ２……第２搬送路、Ｗ３……第３搬送路、Ｗ４……第４搬送路、Ｗ５……第５搬送路、Ｗ６……第６搬送路、Ｗ７……第７搬送路、ＣＫＢ……小切手束、ＷＢ……束搬送路、２４、１２４……小切手束挿入部、２６……フロントパネル、２６Ｓ……フロントパネル板状部、２８……入金口ガイド、３０……シャッタ、３０Ｄ……ディテクタ、３０Ｄｕ……ディテクタ、３０Ｐ……シャッタ板状部、３０Ａ……シャッタ開口部、３０Ｓ……シャッタ軸、３２……閉検知センサ、３４、１３４……駆動機構部、３６、１３６……リンク機構部、３８、１３８……位置検出部、４０……シャッタ駆動モータ、４０Ｓ……出力軸、４２……クランクギア、４２Ｓ１……回転軸、４２Ｓ２……クランク軸、４４、１４４……リンク、４４Ｈｕ、１４４Ｈｕ……上側孔部、４４Ｈｄ、１４４Ｈｄ……下側孔部、５０……上側ガイド、５０Ｓ……ガイド軸、５２……下側ガイド、１３０Ｆ……シャッタ前板、１３０Ａ……シャッタ開口部、１３０Ｒ……シャッタ右側板、１３０Ｓ……シャッタ軸、１３０Ｄ……ディテクタ、５４……ギア、５４Ｓ……回転軸、５６……ディテクタ付きクランクギア、５６Ｓ１……回転軸、５６Ｓ２……クランク軸、５６Ｇ……ギア部、５６Ｄ……ディテクタ部、５８……開閉検知センサ、６０……Ｉ字リンク、６０Ｐ……ピン、６０Ｈ……下側孔部、６２……Ｌ字リンク、６２Ｒ……Ｌ字リンク右側板、６２Ｌ……Ｌ字リンク左側板、６２Ｕ……Ｌ字リンク上側板、６２Ｈ１……軸孔部、６２Ｈ２……ピン孔部、６４……スプリング、７０……入出金部、７２……開検知センサ、ＤＩＰ１、ＤＩＰ２、ＤＩＰ３、ＤＩＰ４……保守画面、ＢＴ１……設定ボタン、ＢＴ２……小切手入金ボタン、ＢＴ３……入金枚数設定ボタン、ＢＴＩ……入金枚数増加ボタン、ＢＴＤ……入金枚数増加ボタン、ＤＳＤＮ……設定入金枚数表示部、ＴＢ……入金時開口量表。
【図１】
2019133261.tif 000003
【図２】
2019133261.tif 000004
【図３】
2019133261.tif 000005
【図４】
2019133261.tif 000006
【図５】
2019133261.tif 000007
【図６】
2019133261.tif 000008
【図７】
2019133261.tif 000009
【図８】
2019133261.tif 000010
【図９】
2019133261.tif 000011
【図１０】
2019133261.tif 000012
【図１１】
2019133261.tif 000013
【図１２】
2019133261.tif 000014
【図１３】
2019133261.tif 000015
【図１４】
2019133261.tif 000016
【図１５】
2019133261.tif 000017
【図１６】
2019133261.tif 000018
【図１７】
2019133261.tif 000019
【図１８】
2019133261.tif 000020